(57)【要約】【課題】吊り作業のためのワイヤロープ掛け作業を容易にすることができる建設機械の吊り装置を提供する。【解決手段】カウンタウエイト６の後部中央に点検用の開口部１４を設け、この開口部１４及びエンジンの上方を覆うようにフード１５を開閉可能に設けた建設機械の吊り装置において、吊具体１７の下端を前記フード１５内のカウンタウエイト６に連結し、その先端をフード１５に設けた挿入用孔を通して前記フード１５の上面より突出させたことを特徴とする。【選択図】  図７
2006283504.tif 000002
【特許請求の範囲】
【請求項１】
カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に吊具体の挿入用孔を設け、吊具体の先端を前記挿入用孔を通して前記フードの上面より突出させ、その下端を前記フード内のカウンタウエイトに連結したことを特徴とする建設機械の吊り装置。
【請求項２】
カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に吊具体の挿入用孔を設け、吊具体の先端を前記挿入用孔を通して前記フードの上面より突出させ、その下端を前記フード内のカウンタウエイトの吊具に連結したことを特徴とする建設機械の吊り装置。
【請求項３】
カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に吊具体の挿入用孔を設け、吊具体の先端を前記挿入用孔を通して前記フードの上面より突出させ、その下端を前記フード内のカウンタウエイトの吊具に回動可能に連結し、前記吊具体の下端に、前記吊具体の姿勢を保持する手段を設けたことを特徴とする建設機械の吊り装置。
【請求項４】
カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に開口とこの開口を塞ぐ開閉可能な蓋を設け、前記蓋に吊具体の挿入用孔を設け、吊具体の先端を前記挿入用孔を通して前記フードの上面より突出させ、その下端を前記フード内のカウンタウエイトの吊具に回動可能に連結し、前記吊具体の下端に、前記吊具体の姿勢を保持する手段を設けたことを特徴とする建設機械の吊り装置。
【請求項５】
前記吊具体の挿入用孔の防塵カバーを設けたことを特徴とする請求項１乃至４のいずれかに記載の建設機械の吊り装置。
【発明の詳細な説明】
【技術分野】
【０００１】
本発明は、油圧ショベル等の建設機械の吊り装置に係わり、さらに詳しくは吊り掛け作業が容易な建設機械の吊り装置に関する。
【背景技術】
【０００２】
油圧ショベル等の建設機械、特に小型の油圧ショベル等の建設機械においては、その旋回体上でのエンジン、カウンタウエイト等の機器、機材の設置スペースが中、大型の油圧ショベル等の建設機械に比べて小さいため、旋回体の後部に設置するカウンタウエイトの後方中央部に、その上面からその中央部に渡ってエンジン点検用の開口部を設け、この開口部及びエンジンの上方を覆うようにフードが開閉可能に設けられている。
【０００３】
また、カウンタウエイト及び建設機械の吊り上げのための吊具は、フード内のカウンタウエイトに設けられているので、吊り作業に際して、この吊具に係止したワイヤロープをフード外に引き出すための開口及び通常時、その開口を塞ぐ開閉可能な蓋を、フードに設けているものがある（例えば、特許文献１参照。）。
【０００４】
【特許文献１】特開２００２−２５６５９４号公報
【発明の開示】
【発明が解決しようとする課題】
【０００５】
上記の従来技術においては、ワイヤロープの一端をカウンタウエイト側の吊具に掛け渡す場合、フードに設けた蓋を開けて開口を開放したのち、ワイヤロープの一端を開口を通してフード内に導入し、カウンタウエイト側の吊具に掛け渡している。また、吊り作業が終了した場合には、ワイヤロープの一端をカウンタウエイト側の吊具から外し、開口を通してフード外に引き出したのち、開口からフード内に塵埃が侵入しないように、蓋を閉じて開口を塞ぐ作業を行う。
【０００６】
このように、上記の従来技術においては、吊り作業のための事前段取り作業が必要であるので、その作業性が良好でないという憾みがある。特に、建設機械を早急に移動させなければならないときの吊り作業においては、前述した事前段取り作業が介在するため、もどかしさがあった。
【０００７】
本発明は、上述の事柄に基づいてなされたもので、吊り作業のためのワイヤロープ掛け作業を容易にすることができる建設機械の吊り装置を提供することを目的とする。
【課題を解決するための手段】
【０００８】
本発明は、上記の目的を達成するために、第１の発明は、カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に吊具体の挿入用孔を設け、吊具体の先端を前記挿入用孔を通して前記フードの上面より突出させ、その下端を前記フード内のカウンタウエイトに連結したことを特徴とする。
【０００９】
また、第２の発明は、カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に吊具体の挿入用孔を設け、吊具体の先端を前記挿入用孔を通して前記フードの上面より突出させ、その下端を前記フード内のカウンタウエイトの吊具に連結したことを特徴とする。
【００１０】
更に、第３の発明は、カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に吊具体の挿入用孔を設け、吊具体の先端を前記挿入用孔を通して前記フードの上面より突出させ、その下端を前記フード内のカウンタウエイトの吊具に回動可能に連結し、前記吊具体の下端に、前記吊具体の姿勢を保持する手段を設けたことを特徴とする。
【００１１】
また、第４の発明は、カウンタウエイトの後部中央に点検用の開口部を設け、この開口部及びエンジンの上方を覆うようにフードを開閉可能に設け、前記フード内のカウンタウエイトの点検用の開口部に吊具を設けた建設機械の吊り装置において、前記フードのカウンタウエイト側に開口とこの開口を塞ぐ開閉可能な蓋を設け、前記蓋に吊具体の挿入用孔を設け、吊具体の先端を前記挿入用孔を通して前記フードの上面より突出させ、その下端を前記フード内のカウンタウエイトの吊具に回動可能に連結し、前記吊具体の下端に、前記吊具体の姿勢を保持する手段を設けたことを特徴とする。
【００１２】
更に、第５の発明は、第１乃至第４の発明のいずれかにおいて、前記吊具体の挿入用孔の防塵カバーを設けたことを特徴とする。
【発明の効果】
【００１３】
本発明によれば、カウンタウエイトの吊具に連結した吊具体の先端を、カウンタウエイト側のフードから上方に突出させたので、吊具体の先端にワイヤロープの一端を直ちに掛け、または外すことができるので、ワイヤロープ掛け作業が容易になり、その作業時間も短縮することができる。その結果、建設機械の移動作業を改善する。
【発明を実施するための最良の形態】
【００１４】
以下、本発明の建設機械の吊り装置の実施の形態を図面を用いて説明する。  
図１は、本発明の吊り装置の一実施の形態を備えた建設機械の正面図、図２はその後面図である。これらの図において、建設機械は、その本体１と、この本体１の両側に設けた無限軌道形式の走行体２と、前記本体１上に旋回可能に設けた旋回体３と、この旋回体３の前側左部に設けた運転室４と、旋回体３の中央部に配置したエンジン、油圧源等を覆うエンジンカバー５と、旋回体３の後部に設けたカウンタウエイト６と、旋回体３の前部に装設したフロント装置７とを備えている。
【００１５】
フロント装置７は、旋回体３の前部に俯仰動可能に設けたブーム８と、このブーム８の先端の回動可能に設けたアーム９と、このアーム９の先端に回動可能に設けた掘削バケット１０とを備え、ブーム８はブーム操作用シリンダ１１によって、アーム９はアーム操作用シリンダ１２によって、さらに掘削バケット１０はバケット操作用シリンダ１３によって駆動される。
【００１６】
前述したカウンタウエイト６の後部中央には、図２に示すようにエンジン等を点検するための点検用の開口部１４が形成されている。また、エンジンカバー５の上面には、点検用の開口部１４及びエンジンカバー５の上部開口を覆うフード１５が開閉可能に設けられている。
【００１７】
フード１５のカウンタウエイト６側には、開口（後述する）及びこの開口を塞ぐ開閉可能な蓋１６が設けられている。この蓋１６には、吊具体の挿入用孔（後述する）が設けられている。この吊具体の挿入用孔を通して、本発明の吊り装置を構成する吊具体１７の先端がフード１５に上方に突出するように配置されている。この吊具体１７の先端に、吊り作業のためのワイヤロープが掛けられる。
【００１８】
前述した本発明の吊り装置を構成する吊具体１７の詳細な構成を、図３乃至図６を用いて説明する。図３は図１に示す建設機械の後部を拡大して示す平面図、図４は図３のIV−IV矢視から本発明の吊り装置を見た拡大正面図、図５は図４のV−V矢視から本発明の吊り装置を見た拡大側面図、図６は図５のVI−VI矢視から本発明の吊り装置を構成する吊具体の姿勢を保持する手段を見た拡大正面図である。これらの図において、図１及び図２と同符号のものは同一部分である。
【００１９】
前述したフード１５は図３に示すようにヒンジ１８によってカウンタウエイト６の後部中央の点検用の開口部１４及びエンジンカバー５の上部開口１９を覆うように開閉可能に設けられている。このフード１５には、旋回体３の幅方向（図３の紙面上、上下方向）に開口２０が設けられている。この開口２０には、ヒンジ２１によって蓋１６が開閉可能に設けられている。
【００２０】
この蓋１６には、２つの吊具体の挿入用孔２２が間隔をもって設けられている。この吊具体の挿入用孔２２には、防塵カバー２３が設けられている。これらの防塵カバー２３には、前述した吊具体１７の先端が突出することができるように切欠きがそれぞれ設けられている。これにより、各吊具体１７の先端は、図４に示すように防塵カバー２３の切欠きを通して上方に突出している。
【００２１】
吊具体１７の先端側には、図４に示すようにワイヤロープ挿入孔１７Ａが設けられ、下端には、図５に示すように並設した連結用ブラケット２４がそれぞれ設けられている。また、吊具体１７の対向する内側面には、補強部材１７Ｂが設けられている。連結用ブラケット２４は、カウンタウエイト６における開口部１４の平面部１４Ａに離間して設けたカウンタウエイト６の吊具２５にボルト２６によって回動可能に連結されている。
【００２２】
対向する連結用ブラケット２４の各外側面には、図５及び図６に示すように吊具体１７の姿勢を保持する手段２６が設けられている。この吊具体姿勢保持手段２６は、図１に示すフロント装置７の姿勢と建設機械の本体側とに基づいて設定される推奨すべき吊り角度を設定するものである。
【００２３】
この吊具体姿勢保持手段２６は、図５及び図６に示すように連結用ブラケット２４の側面にボルト２７で固定される第１の保持体２８と、この第１の保持体２８に旋回体３の前後方向（図６の左右方向）に離間してそれぞれ設けた第２の保持体２９と、これらの第２の保持体２９の先端下面にねじ３０によって固定されたゴム等の弾性ストッパ３１とで構成され、弾性ストッパ３１の下端はカウンタウエイト６における開口部１４の平面部１４Ａに当接している。
【００２４】
従って、吊上げ時に、吊具体１７の吊り角度に余裕を持たせることができ、吊具体１７に無理な荷重が掛からないようになっているとともに、弾性ストッパ３１により、建設機械の吊り時における荷振れが抑えられる。非吊上げ時には、弾性ストッパ３１によって、元の位置に復帰する。また、ねじ３０の締め込み又は緩めにより、弾性ストッパ３１を変形させることができるので、非吊り時における吊具体１７の姿勢を所望の角度に設定することができる。
【００２５】
次に、上述した本発明の吊り装置の一実施の形態の動作を図７を用いて説明する。  
まず、クレーン等の荷役機械のフックＦに、フロント装置７側に掛けられる１つのワイヤロープＷ１の一端と、建設機械の後部、即ちカウンタウエイト６側に掛けられる２つのワイヤロープＷ２の一端を掛ける。次に、荷役機械によってフックＦの位置を調整しながら、ワイヤロープＷ２の他端を、フード１５の上面から突出している吊具体１７の先端のロープ孔１７Ａにフック等で連結する。また、ワイヤロープＷ１の他端を、ブーム８の上部角部及び下部角部に設けたパットＰを介してブーム８の下側から掛け渡してフックＦに引掛ける。この状態で、フックＦを上昇させれば、建設機械を吊り上げ、建設機械を他の場所に移動することができる。
【００２６】
なお、吊上げ時には、吊具体姿勢保持手段２６によって、吊具体１７の吊り角度に余裕を持たせることができ、吊具体１７に無理な荷重が掛からないとともに、弾性ストッパ３１により、建設機械の吊り時における荷振れが抑えられる。
【００２７】
建設機械を荷役機械により他の場所に移動した後は、上述とは逆の動作により、フックＦと建設機械との間に掛けたワイヤロープＷ１，Ｗ２を取りはずことができる。非吊上げ時には、吊具体姿勢保持手段２６の弾性ストッパ３１によって、吊具体１７は、元の位置に復帰する。
【００２８】
上述したように、本発明の実施の形態によれば、カウンタウエイト６側に掛けられるワイヤロープＷ２の他端は、フード１５の上面から突出している吊具体１７の先端のロープ孔１７Ａに容易に引掛けることができるので、ワイヤロープの掛け外し作業が容易になり、その作業時間も短縮することができる。その結果、建設機械の移動作業を改善することができる。
【００２９】
また、吊具体１７は、吊具体姿勢保持手段２６によって推奨すべき吊り角度に設定されるので、ワイヤロープの吊り角度が最適になり、建設機械を安定した状態で移動させることができる。更に、吊具体の挿入用孔２２に防塵カバー２３を設けたので、エンジンカバー５内への塵埃の侵入を防止することができる。
【００３０】
なお、上述の実施の形態においては、フード１５の上面の蓋１６に吊具体の挿入用孔２２を設けたが、蓋１６及びその開口２０を設けず、フード１５に吊具体の挿入用孔２２を設けることも可能である。この場合にも、エンジンカバー５内への塵埃侵入を防止するために、防塵カバー２３を設けることが好ましい。
【００３１】
この実施の形態によれば、上述した実施の形態と同様に、ワイヤロープの掛け外し作業が容易になり、その作業時間も短縮することができる。また、フード１５への蓋１６の付設が不要になるので、部品点数、コストの削減が可能である。更に、吊具体１７は、既設の吊具２５に取付けているので、その取付作業は簡単である。
【００３２】
また、前述した実施の形態においては、メーカとして推奨すべき吊り角度を設定する吊具体姿勢保持手段２６を、吊具体１７の下部に設けたが、付設せずに使用することも可能である。更に、吊具体１７の下部を、カウンタウエイト６に予め設けた吊具２５に連結したが、この吊具２５とは別に吊具を設け、この吊具に吊具体１７の下部を連結することも可能である。
【図面の簡単な説明】
【００３３】
【図１】本発明の吊り装置の一実施の形態を備えた建設機械の正面図である。
【図２】図１に示す本発明の吊り装置の一実施の形態を備えた建設機械の後面図である。
【図３】図１に示す本発明の吊り装置の一実施の形態を備えた建設機械の後部を拡大して示す平面図である。
【図４】図３のIV−IV矢視から本発明の吊り装置を見た拡大正面図である。
【図５】図４のV−V矢視から本発明の吊り装置を見た拡大側面図である。
【図６】図５のVI−VI矢視から本発明の吊り装置を構成する吊具体の姿勢を保持する手段を見た拡大正面図である。
【図７】本発明の吊り装置を用いて建設機械にワイヤロープ掛けされた状態を示す正面図である。
【符号の説明】
【００３４】
１        本体
２        無限軌道形式の走行体
３        旋回体
４        運転室
５        エンジンカバー
６        カウンタウエイト
７        フロント装置
１４      点検用の開口部
１５      フード
１６      蓋
１７      吊具体
２２      吊具体の挿入用孔
２３      防塵カバー
２５      吊具
２６      吊具体姿勢保持手段
【図１】
2006283504.tif 000003
【図２】
2006283504.tif 000004
【図３】
2006283504.tif 000005
【図４】
2006283504.tif 000006
【図５】
2006283504.tif 000007
【図６】
2006283504.tif 000008
【図７】
2006283504.tif 000009